(57)【要約】【課題】ケース本体部に対して閉じた蓋部が前後方向及び上下方向に位置ずれを起こすのを防止する。【解決手段】ケース１は、ケース本体部２に対して蓋部３が前後方向に位置ずれを起こすのを防止する位置決め手段２１を備えている。位置決め手段２１は、前記蓋部３の側壁に突出形成された被係合部２２と、ケース本体部２の側壁に設けられた係合部２３と、からなっている。被係合部２２は、前後方向位置決め部２４と、高さ方向位置決め部２５と、を備えている。係合部２３は、前後方向位置決め部２４が係合する前後方向位置決め係合部２６と、前記高さ方向位置決め部２５が係合する高さ方向位置決め係合部２７と、前記前後方向位置決め係合部２６との間で前記前後方向位置決め部２４の先端部を挟着する挟着部２８と、を備えている。【選択図】　図１
2004106850.tif 000002
【特許請求の範囲】
【請求項１】
ケース本体部に蓋部がヒンジ部により回動開閉可能に取付けられていて蓋部を閉じると、これらケース本体部と蓋部の側壁が重なって、これら側壁に設けた係止手段によって蓋部が閉じた状態に係止されるとともに、前記係止手段よりもヒンジ部側に設けた位置決め手段により蓋部の前後方向の位置ずれを防止するようになっているカートリッジ収納用ケースであって、
前記位置決め手段は、前記ケース本体部と蓋部の何れか一方に設けた被係合部と、他方に設けた係合部と、からなり、
前記被係合部は、側壁の高さ方向に伸びる前後方向位置決め部と、該前後方向位置決め部の基部から前記ヒンジ部側に向かって側壁の前後方向に伸びる高さ方向位置決め部と、を備え、
前記係合部は、蓋部を閉じたときに前記前後方向位置決め部が係合する前後方向位置決め係合部と、前記高さ方向位置決め部が係合する高さ方向位置決め係合部と、前記前後方向位置決め係合部との間で前記前後方向位置決め部の先端部を挟着する挟着部と、を備えている
ことを特徴とするカートリッジ収納用ケース。
【請求項２】
前記挟着部は、前記前後方向位置決め係合部との間に前記前後方向位置決め部の先端端を導くガイド部を備えている
ことを特徴とする請求項１に記載のカートリッジ収納用ケース。
【請求項３】
前記前後方向位置決め部と前記挟着部は、側壁に設けた切欠部によって弾性を付与されている
ことを特徴とする請求項１に記載のカートリッジ収納用ケース。
【発明の詳細な説明】
【０００１】
【発明の属する技術分野】
本発明は、ディスクカートリッジ等の情報記録媒体のカートリッジを収納するカートリッジ収納用ケースに関するものである。
【０００２】
【従来の技術】
カートリッジ収納用ケースとして、例えば図１０〜図１１に示すものが知られている。前記ディスクカートリッジ用ケース１は、ケース本体部２に蓋部３がヒンジ部６により回動開閉可能に取付けられていて蓋部３を閉じると、これらケース本体部２と蓋部３の側壁２３，３３が重なって、これら側壁２３，３３に設けた係止手段（蓋部ロック手段）としての係止突部７が係止受部８内に係合して、蓋部３が閉じた状態に係止（ロック）されるとともに、前記係止突部７が係止受部８よりもヒンジ部６側に設けた位置決め手段としての凹部４と突部５の係合により、蓋部３がケース本体部２の前後方向に位置ずれを起こすのを防止して、位置ずれが原因で前記係止突部７と係止受部８の係合が外れて、蓋部３が開いてしまうのを防止するようになっている。
【０００３】
【特許文献１】
実開平７−２８０９４号公報（段落番号０００６〜００１２）
【０００４】
【発明が解決しようとする課題】
ところで、上記従来のディスクカートリッジ用ケース１には、次に述べるような問題点があった。
（１）凹部４と突部５の係合により、蓋部３がケース本体部２の前後方向に位置ずれを起こすのを防止することはできるが、図１１に示すように、前記突部５とヒンジ部６の間において蓋部３が外部から加圧Ｐされると、蓋部３は内側に凹むように変形してしまう。蓋部３が変形するとヒンジ部６に無理な力が作用して、ヒンジ部６が端部から破損（破断）してしまうことがある。
（２）突部５は固くて弾性を有していないために、蓋部３を閉じたときに凹部４内に突部５の先端を係合させるためには、凹部４や突部５の位置精度が要求される。位置精度が悪いと蓋部３が完全に閉まらなくなるというようなことが起こる。
【０００５】
本発明の目的は、蓋部が外部から加圧された場合でヒンジ部を保護することのできるディスクカートリッジ用ケースを提供することにある。
【０００６】
また、本発明の他の目的は、位置決め手段を構成する突部等に弾性を持たせることにより凹部等に突部等を確実に係合させることができるディスクカートリッジ用ケースを提供することにある。
【０００７】
【課題を解決するための手段】
本発明は、ケース本体部に蓋部がヒンジ部により回動開閉可能に取付けられていて蓋部を閉じると、これらケース本体部と蓋部の側壁が重なって、これら側壁に設けた係止手段によって蓋部が閉じた状態に係止されるとともに、前記係止手段よりもヒンジ部側に設けた位置決め手段により蓋部の前後方向の位置ずれを防止するようになっているカートリッジ収納用ケースであって、
前記位置決め手段を、前記ケース本体部と蓋部の何れか一方に設けた被係合部と、他方に設けた係合部と、で構成し、
前記被係合部を、側壁の高さ方向に伸びる前後方向位置決め部と、該前後方向位置決め部の基部から前記ヒンジ部側に向かって側壁の前後方向に伸びる高さ方向位置決め部と、で構成し、
前記係合部を、蓋部を閉じたときに前記前後方向位置決め部が係合する前後方向位置決め係合部と、前記高さ方向位置決め部が係合する高さ方向位置決め係合部と、前記前後方向位置決め係合部との間で前記前後方向位置決め部の先端部を挟着する挟着部と、で構成することにより、
蓋部を閉じると前後方向位置決め部の先端部が前後方向位置決め係合部と挟着部との間に挟まれて蓋部の前後方向への移動を阻止すると共に、高さ方向位置決め部が高さ方向位置決め係合部上に重ね合わされて、蓋部に外圧が加わった場合でも蓋部が内側に撓んでヒンジ部の端部が破損するのを防止した。
【０００８】
また、本発明は、ケース本体部と蓋部の側壁に切欠部を設け、前記前後方向位置決め部と前記挟着部に弾性を付与して、
蓋部を閉じたときに、前後方向位置決め部の先端部を前後方向位置決め係合部と挟着部との間に容易に導入できるようにすると共に、落下時における衝撃等を吸収できるようにした。
【０００９】
【発明の実施の形態】
図１は蓋を開いた状態のカートリッジ収納用ケース１の斜視図、図２は蓋を閉じた状態のカートリッジ収納用ケース１の斜視である。カートリッジ収納用ケース１は、１リールデータカートリッジ１０１を収納するケースとして構成されている。
【００１０】
前記カートリッジ収納用ケース１は、ケース本体部２に蓋部３がヒンジ部６により回動開閉可能に取付けられていて、図２に示すように、蓋部３を閉じると、これらケース本体部２と蓋部３の側壁が重なり合って、これら側壁に設けた係止手段１１によって蓋部３が閉じた状態に係止されるとともに、前記係止手段１１よりもヒンジ部６側に設けた位置決め手段２１により蓋部３がケース本体部２の前後方向に位置ずれを起こすのを防止するようになっている。
【００１１】
図１に示すように、前記ケース本体部２は、四角形状の底壁２ａと、底壁２ａの第１の側縁に沿って設けられた第１の側壁（以下、前壁と称する）２ｂと、底壁２ａの第２，第３の側縁に沿って設けられた第２，第３の側壁（以下、左右の側壁と称する）２ｃ，２ｄと、底壁２ａの第４の側縁に沿って設けられた第４の側壁（以下、後壁と称する）２ｅと、を備えている。前記左右の側壁２ｃ，２ｄには、後に説明する係合部２３が形成されている。
【００１２】
前記蓋部３は、四角形状の天井壁３ａと、天井壁３ａの第１の側縁に沿って設けられた第１の側壁（以下、前壁と称する）３ｂと、天井壁３ａの第２，第３の側縁に沿って設けられた第２，第３の側壁（以下、左右の壁と称する）３ｃ，３ｄと、を備えている。
【００１３】
前記蓋部３は、前記ケース本体部２の後壁２ｅの上端部に薄肉のヒンジ部６を介して一体に形成されている。そして、蓋部３を閉じた状態にすると、蓋部３の前壁３ｂ及び左右の側壁３ｃ，３ｄが、ケース本体部２の前壁２ｂ及び左右の側壁２ｃ，２ｄの外面に重なり合うようになっている。
【００１４】
図３に示すように、蓋部３の左右の側壁３ｃ，３ｄのヒンジ部６側の角部３ｅの内面３ｆは、所謂面取りによって傾斜面状に形成されていて、蓋部３を閉じる際に、蓋部３の左右の側壁３ｃ，３ｄが、ケース本体部２の左右の側壁２ｃ，２ｄの外面側に円滑に重なり合うようになっている。
【００１５】
図１に示すように、前記係止手段１１は、ケース本体部２の左右の側壁２ｃ，２ｄに設けた凹部１２と、蓋部３の左右の側壁３ｃ，３ｄに設けた凸部１３と、からなっている。そして、蓋部３を閉じた状態にすると、図４に示すように、前記凹部１２に凸部１３が係合して、蓋部３は、閉じられた状態にロックされるようになっている。
【００１６】
図５に拡大して示すように、前記位置決め手段２１は、前記蓋部３の側壁３ｃ，３ｄの内面に突出形成された被係合部２２と、ケース本体部２の左右の側壁２ｃ，２ｄに設けられた係合部２３と、からなっている。
【００１７】
前記被係合部２２は、前記蓋部３の左右の側壁３ｃ，３ｄの高さ方向に伸びる前後方向位置決め部２４と、該前後方向位置決め部２４の基部から前記ヒンジ部６側に向かって左右の側壁３ｃ，３ｄの前後方向に伸びる高さ方向位置決め部２５と、を備えている。
【００１８】
前記係合部２３は、蓋部３を閉じたときに前記前後方向位置決め部２４が係合する前後方向位置決め係合部２６と、前記高さ方向位置決め部２５が係合する高さ方向位置決め係合部２７と、前記前後方向位置決め係合部２６との間で前記前後方向位置決め部２４の先端部を挟着する挟着部２８と、で構成されている。前記前後方向位置決め係合部２６と挟着部２８の間には溝部２９が形成されている。
【００１９】
前記挟着部２８の上端部には、前記溝部２９内に前記前後方向位置決め部２４の先端部を円滑に導き入れるためのガイド部３０が設けられている。
前記前後方向位置決め部２６及び挟着部２８は、切欠部３１によって適度の弾性を付与されている。
【００２０】
次に、前記位置決め手段２１の作用を図６を参照して説明する。蓋部３を閉じる方向に回動させると、図６（Ａ）に示すように、前後方向位置決め部２４の先端部が、前記ガイド部３０に接触してガイドされ、蓋部３が完全に閉じられた状態になると、図６（Ｂ）に示すように、前後方向位置決め部２４の先端部が前後方向位置決め係合部２６と挟着部２８との間の溝部２９内に圧入され、これら前後方向位置決め係合部２６と挟着部２８とで挟着され、蓋部３は、ケース本体部２に対して前後方向への移動を阻止されると共に、高さ方向位置決め部２５が高さ方向位置決め係合部２７上に載置され、上下方向への移動を阻止された状態になる。従って、前記係止手段１１による蓋部３のロックは確実なものになるのである。
【００２１】
なお、図７〜図８に示すように、前記前後方向位置決め部２４をスリット３２で側壁３ｃ，３ｄから分離して、前後方向位置決め部２４に適度の弾性を持たせる構成にしてもよい。
【００２２】
また、図９に示すように、前後方向位置決め係合部２６と挟着部２８との間に蓋部３の前後方向位置決め部２４の先端部の挿入空間を確保しつつ、これら前後方向位置決め係合部２６と挟着部２８との間の跨るようにリブ３３を形成して前後方向位置決め係合部２６と挟着部２８との間から蓋部３の前後方向位置決め部２４が抜け出てしまうのを防止する構成にしてもよい。
【００２３】
カートリッジ収納用ケース１は、可撓性に優れ、且つ引っ張り伸び率の高いポリプロピレン（ＰＰ）やポリエチレン（ＰＥ）等の熱可塑性樹脂により一体的に射出成形されている。また、実施例では、本発明のカートリッジ収納用ケース１を１リールデータカートリッジ１０１を収納するケースとして構成した場合を示したが、収納するカートリッジは、１リールデータカートリッジに限られるものではない。
【００２４】
【発明の効果】
本発明のカートリッジ収納用ケースには次に述べるような効果がある。
（１）請求項１のカートリッジ収納用ケースは、蓋部を閉じると前後方向位置決め部の先端部が前後方向位置決め係合部と挟着部との間で挟まれて蓋部の前後方向への移動を阻止すると共に、高さ方向位置決め部が高さ方向位置決め係合部上に重ね合わされて、蓋部に外圧が加わった場合でも蓋部が内側に撓むのを防止して、ヒンジ部が端部から破損するのを防止する。
（２）請求項２のカートリッジ収納用ケースは、挟着部と前後方向位置決め係合部との間に前後方向位置決め部の先端部を導くガイド部を設けたので、該ガイド部によって前後方向位置決め部の先端部を、挟着部と前後方向位置決め係合部との間に円滑に導入することができる。
（３）請求項３のカートリッジ収納用ケースは、前後方向位置決め部と挟着部に弾性を付与したので、これら前後方向位置決め部及び挟着部の撓みにより、前後方向位置決め部の先端部を前後方向位置決め係合部との間に容易に導入することが可能になると共に、落下時の衝撃等から前後方向位置決め部等を保護することができる。
【図面の簡単な説明】
【図１】カートリッジ収納用ケースの斜視図（蓋を開いた状態）。
【図２】カートリッジ収納用ケースの斜視図（蓋を閉じた状態）。
【図３】図１のＡ部分の拡大図。
【図４】係止手段の断面図。
【図５】位置決め手段部分の拡大斜視図。
【図６】（Ａ）と（Ｂ）は、位置決め工程を示す説明図。
【図７】前後方向位置決め部の他の実施例の斜視図。
【図８】図７のＡ−Ａ断面図。
【図９】他の実施例の斜視図。
【図１０】従来例の斜視図（蓋を開いた状態）。
【図１１】従来例の斜視図（蓋を開いた状態）。
【符号の説明】
１…カートリッジ収納ケース、２…ケース本体部、３…蓋部、６…ヒンジ部、１１…係止手段、２１…位置決め手段、２２…被係合部、２３…係合部、２４…前後方向位置決め部、２５…高さ方向位置決め部、２６…前後方向位置決め係合部、２７…高さ方向位置決め係合部、２８…挟着部、２９…溝部、３０…ガイド部、３１…切欠部。
【図１】
2004106850.tif 000003
【図２】
2004106850.tif 000004
【図３】
2004106850.tif 000005
【図４】
2004106850.tif 000006
【図５】
2004106850.tif 000007
【図６】
2004106850.tif 000008
【図７】
2004106850.tif 000009
【図８】
2004106850.tif 000010
【図９】
2004106850.tif 000011
【図１０】
2004106850.tif 000012
【図１１】
2004106850.tif 000013